(57)【特許請求の範囲】
【請求項１】
少なくとも３つのポンプ室の各々に、一対のかみ合ったロータを設け、各対の第１のロータがポンプ室を貫通する第１の軸に回転可能に取り付けられ、各対の第２のロータがポンプ室を貫通する第２の軸に回転可能に取り付けられ、ポンプ入口とポンプ出口との間で圧送されるガスについて各ポンプ室内の対のロータによって次々にポンプ作用を行わせるために、軸を反対の回転方向に駆動する装置を設け、前記ポンプが「クロー」型輪郭ロータをもった少なくとも１つのポンプ室と、「ルーツ」型輪郭ロータをもった少なくとも１つのポンプ室と、を有し、ポンプ出口に最も近いポンプ室は「ルーツ」型輪郭ロータを有することを特徴とする真空ポンプ。
【請求項２】
ポンプ入口に最も近いポンプ室も「ルーツ」型輪郭ロータを有する、請求項１に記載のポンプ。
【請求項３】
少なくとも４つのポンプ室を有する請求項１又は請求項２に記載のポンプ。
【請求項４】
ポンプ入口に隣接したポンプ室に、及びポンプ出口に隣接したポンプ室に「ルーツ」型輪郭ロータを有し、中間のポンプ室に「クロー」型輪郭ロータを有する、請求項３に記載のポンプ。
【発明の詳細な説明】
【０００１】
【発明の属する分野】
本発明は真空ポンプに関し、特に、多段のオイル無し（乾式）真空ポンプに関する。
【０００２】
【従来の技術】
真空室内にオイルがなく、従って、半導体産業に見られるようなクリーン環境に有用である真空ポンプは周知であり、半導体産業では、真空室内に存在する潤滑材は汚染を引き起こす。
このような乾式真空ポンプは通常は、各真空室内にかみ合いロータを使用する多段容積形ポンプである。ロータは各真空室に同じ形式の輪郭を有し、或いは真空室毎に輪郭が変わる。
真空ポンプが有利には、一対の「ルーツ」型輪郭のロータ（２ローブだけを示しているが２、３又は４ローブロータを使用してもよい）を収容する、ポンプ入口に隣接した第１真空室と、一対の「クロー」型ロータを収容する、ポンプ出口に隣接した他の真空室及びこれ又一対の「クロー」型ロータを収容する、コレラ２つの真空室の中間の更なる真空室とを有することがあることが特に知られているー１９８７年７月／８月のJ. Vac Sci Technol A 5(4) の我々のタドワーズ高真空国際部( Edwards High Vacuum International Division) のワイクリフ (Wycliffe) による論文（その内容をここに援用する）を参照。
【０００３】
このような装置は性質の良好な組み合わせ、即ち低い圧力差で吐出すときに、高い圧力差に抗してポンプ出口の大気に吐出す「クロー」輪郭室の能力と結合される「ルーツ」輪郭室から効果的で高い容積効率を、特に０．００１乃至１０ミリバールの圧力範囲において、示す点でかかる装置は実際には広く使用されてきた。
【０００４】
【発明が解決しようとする課題】
しかしながら、かかる混合したロータ輪郭を収容する真空ポンプにはある欠点がある。欠点の１つは、ポンプが排気のスタートにおける荒引きモードで高い電力消費を受けると言う事実である。他の欠点は、排気されたガスの不連続なトラップ容積をパルスの仕方でそれ自体知られた方法でクローロータ間から大気に追い出す、ポンプ出口に隣接した室内のクロー輪郭ロータによって特に引き起こされる騒音である。
今、このような多段の異なる輪郭のポンプが異なるポンプ室内の輪郭の新しい特別の組み合わせの選択によって更に改善されることがわかった。
【０００５】
【課題を解決するための手段】
本発明によれば、少なくとも３つのポンプ室の各々に、一対のかみ合ったロータを設け、各対の第１のロータがポンプ室を貫通する第１の軸に回転可能に取り付けられ、各対の第２のロータがポンプ室を貫通する第２の軸に回転可能に取り付けられ、ポンプ入口とポンプ出口との間で圧送されるガスについて各ポンプ室内の対のロータによって次々にポンプ作用を行わせるために、軸を反対の回転方向に駆動する装置を設け、前記ポンプが「クロー」型輪郭ロータをもった少なくとも１つのポンプ室と、「ルーツ」型輪郭ロータをもった少なくとも１つのポンプ室とを有し、ポンプ出口に最も近いポンプ室は「ルーツ」型輪郭ロータを有することを特徴とする真空ポンプを提供する。
【０００６】
本発明の「ルーツ」最終段ポンプの利点は、脈動周波数が「クロー」段のものよりも大変高いことであることが分かった。例えば、５ローブ「ルーツ」輪郭では、脈動周波数は「クロー」輪郭の脈動周波数の１０倍である。この結果、下流の配管が振動を起こし難い。これにより、ポンプを外部消音器の必要なしに作動させることができる。
本発明のポンプの更なる利点は、荒引き中ルーツ段が前の「クロー」段によって発生された過剰な圧力をもっと効率的に排出させることができることである。好ましくは、ポンプ入口に最も近いポンプ室も「ルーツ」型輪郭ロータを有し、これは一般的に上記の欠点なしに上記のワイクリフの論文に言及されたポンプのほぼ全体的な有利さをもたらすからである。従って、３段ポンプでのこのような実施形態では、ポンプ室はポンプ入口とポンプ出口との間では（１）「ルーツ」型ロータ輪郭室、（２）「クロー」型ロータ輪郭室及び（３）「ルーツ」型ロータ輪郭室を有する。
【０００７】
本発明のポンプは有利には、少なくとも４つのポンプ室を有し、理想的には、ポンプ入口に隣接したポンプ室に、及びポンプ出口に隣接したポンプ室に「ルーツ」型輪郭ロータを有し、中間の室に「クロー」型輪郭ロータを有する。４段以上のポンプも好ましくは、ポンプ入口に隣接したポンプ室に及びポンプ出口に隣接したポンプ室に「ルーツ」型輪郭ロータを有し、中間のポンプ室は全て「クロー」型輪郭ロータを有する。
【０００８】
【発明の実施の形態】
本発明のより良い理解のために、本発明のポンプの断面を概略的に示す添付図面を単なる例示として参照する。
図面を参照すると、入口（図示せず）及び出口（図示せず）を形成したポンプ本体１を有する５段真空ポンプを示す。
入口と出口との間には５つのポンプ室４、５、６、７、８が位置決めされている。ポンプ本体１内には軸受け１１、１２及び１３、１４を介して２本の軸９、１０がそれぞれ取り付けられており、軸はポンプ室４、５、６、７の各々を貫通する。
軸９、１０はポンプ本体内でそれらの長手方向軸線を中心に反対の回転方向に回転するようになっており、軸９は駆動モータ（図示せず）に連結され、軸１０はそれぞれの軸に取付けられたタイミング歯車１５、１６によって軸９に連結されている。
【０００９】
通常は、歯車１５、１６を収容する歯車箱には潤滑が必要とされるけれども、これはポンプ室４、５、６、７から離しておくことができ、従ってポンプ室は乾いたクリーン状態に保たれる。
各軸９、１０には５つのロータが取り付けられ、該ロータは、各軸からの１つのロータが各ポンプ室４、５、６、７、８内に置かれるように位置決めされる。ポンプ入口に最も近いポンプ室４内のロータ１７及びポンプ出口に最も近いポンプ室８内のロータ１８はすべて「ルーツ」型輪郭のものであり、これに対して中間のポンプ室５、６、７はすべて「クロー」型輪郭のものである。
各ポンプ室４、５、６、７、８内のロータ対はそれらのそれぞれの軸に位置決めされ、そしてロータ対が特に真空ポンプについてそれ自体周知の方法でかみ合って作用することができるようにポンプ室内にポンプ室壁に対して位置決めされる。
【００１０】
ポンプの使用中、ポンプは荒引きの時少ない電力を使用し、一般的な使用中排気脈動や騒音が小さいことが分かった。
【図面の簡単な説明】
【図１】本発明のポンプの断面を概略的に示す。
【符号の説明】
１  ポンプ本体
４  ポンプ室
５  ポンプ室
６  ポンプ室
７  ポンプ室
８  ポンプ室
９  軸
１０  軸
１７  ロータ
１８  ロータ
１９  ロータ
【図１】
0003961605.tif 000002